(57)【要約】【課題】燃焼しても硫黄酸化物を発生しないため、環境を汚染することがなく、また燃料電池に使用されても触媒性能低下やセル電圧低下等の問題が発生しないようにする。【解決手段】この発明は、燃料ガスに臭いを付ける燃料ガス用着臭剤において、着臭剤をアルキルイソシアニドで構成した、ことを特徴としている。【選択図】なし【特許請求の範囲】
【請求項１】
ガス漏れ認識に必要な警告臭をガスに付与するガス用着臭剤において、
上記着臭剤をアルキルイソシアニドで構成した、ことを特徴とするガス用着臭剤。
【請求項２】
上記アルキルイソシアニドは、エチルイソシアニド、プロピルイソシアニド、ノルマルブチルイソシアニド、イソブチルイソシアニド、ｓｅｃ−ブチルイソシアニド、イソペンチルイソシアニド、イソプロピルイソシアニド、およびｔ−ブチルイソシアニドの何れか１つまたは２以上の混合体からなる、請求項１に記載のガス用着臭剤。
【請求項３】
上記ガスは、プロパン、ブタン等の炭化水素系ガス（液化石油ガス）、モータガス（タクシー用燃料）、ＬＮＧ（液化天然ガス）、都市ガス、工業用ガス（アセチレン等）、燃料電池用ガス、水素ガス、およびジメチルエーテル（ＤＭＥ）の何れかの燃料用ガスである、請求項１または２に記載のガス用着臭剤。
【請求項４】
上記ガスは、酸素、窒素、アルゴンガス、毒性ガス等の、警告臭付与が必要なガスである、請求項１または２に記載のガス用着臭剤。
【発明の詳細な説明】
【技術分野】
【０００１】
この発明は、ガス漏れ認識に必要な警告臭をガスに付与するガス用着臭剤に関するものである。
【背景技術】
【０００２】
近年、燃料ガスは生活に欠かせないものとなっており、その用途も多方面に拡がりつつある。ところで、この燃料ガスとして、例えばプロパン、ブタン等の炭化水素系ガス（液化石油ガス）、モータガス（タクシー用燃料）、ＬＮＧ（液化天然ガス）、都市ガス、工業用ガス（アセチレン等）、燃料電池用ガス、水素ガス、さらにはＤＭＥ（ジメチルエーテル）等があるが、これらはいずれも可燃性、爆発性を有するものの、臭気がきわめて少ないので、そのままでは漏洩しても気づかない場合があり、漏洩による引火、爆発等の災害を未然に防止する十分な対策が必要となる。
【０００３】
そこで、従来この対策の最も簡便な方法として、燃料ガスに、特有な臭気を有する化合物を着臭剤（付臭剤）として添加することにより、もしかかるガス類が漏洩した場合に、人間の嗅覚で容易に感知し得るようにすることが行われてきた。これらの着臭剤としては、メルカプタン類やサルファイド類が使用されてきた。
【０００４】
しかし、従来用いられている一般的な着臭剤であるメルカプタン類やサルファイド類は、硫黄分を含んでいるため、そのガスの燃焼により硫黄酸化物が生成され、その硫黄酸化物はそのまま大気中に排出されて環境汚染の一因となっていた。
【０００５】
また、燃料電池に使用する燃料ガス（例えば都市ガス、ＤＭＥ）に、上記従来の着臭剤を使用すると、この着臭剤には硫黄分を含むため、燃料電池に使用されている触媒の性能を低下させたり、セル電圧を低下させる等の問題点を有していた。
【０００６】
また、着臭剤に窒素分が高濃度に含まれていると、改質してアンモニアに変化するので、やはり燃料電池の触媒の性能を低下させたり、セル電圧を低下させる。
【０００７】
また、液化石油ガス（ＬＰガス）に上記従来の着臭剤（メルカプタン類やサルファイド類）を使用すると、メルカプタン類やサルファイド類は、物性面から、ＬＰガスとは異なる性状を備えているため、ガス容器中のＬＰガスが使用されて減少しても、そのガス容器に残留する度合いが高くなっている。したがって、ガス容器中のＬＰガスが残り少なくなってくると、そのＬＰガス中に占める着臭剤の濃度が極めて高くなり、例えば９９％のＬＰガス消費時の、ガス容器のＬＰガス中に占める着臭剤濃度は初期濃度に対して７７倍も高くなる。このように、ガス容器中の着臭剤濃度が高くなると、そのガスが外部に漏れたとき異常に強い臭気となるといった問題が発生していた。
【０００８】
一方、上記の各種問題点を解消するために、近年硫黄分を含まない着臭剤の開発も進められているが（例えば下記の特許文献１，２参照）、より一層の改善が望まれている。すなわち、環境汚染をさらに低減でき、また微量でも感知濃度が高く、燃料電池用としても良好で、ガス容器中の燃料ガスが残り少なくなっても着臭剤の残留濃度がほとんど変化せず異常臭気問題が発生しないような燃料ガス用着臭剤の出現が期待されている。
【特許文献１】特開２００２−２９４２６１号公報
【特許文献２】特開２００２−３５６６８８号公報
【０００９】
さらに、燃料ガスだけでなく、漏洩してもほとんどその臭いを感知できない他のガスの場合、例えば酸素ガス、窒素ガス、アルゴンガス、また毒性を有するガスの場合、漏洩すると、そのことを認識できず、ガスを無駄に消費したり、生命に危険を来たしたりするので、臭いを付与したいという要望が高まっており、極微量でも的確に臭いを付与することのできる着臭剤が検討されつつある。
【発明の開示】
【発明が解決しようとする課題】
【００１０】
この発明は上記に鑑み提案されたもので、燃焼しても硫黄酸化物を発生せず、環境を汚染することのないガス用着臭剤を提供することを目的とする。
【００１１】
また、燃料電池に使用されても何ら問題のないガス用着臭剤を提供することを目的とする。
【００１２】
さらに、ガス容器中の燃料ガスが残り少なくなっても着臭剤の残留濃度がほとんど変化せず異常臭気問題が発生しないガス用着臭剤を提供することを目的とする。
【課題を解決するための手段】
【００１３】
上記目的を達成するために、請求項１に記載の発明は、ガス漏れ認識に必要な警告臭をガスに付与するガス用着臭剤において、上記着臭剤をアルキルイソシアニドで構成した、ことを特徴としている。
【００１４】
また、請求項２に記載の発明は、上記した請求項１に記載の発明において、上記アルキルイソシアニドは、エチルイソシアニド、プロピルイソシアニド、ノルマルブチルイソシアニド、イソブチルイソシアニド、ｓｅｃ−ブチルイソシアニド、イソペンチルイソシアニド、イソプロピルイソシアニド、およびｔ−ブチルイソシアニドの何れか１つまたは２以上の混合体からなるものである。
【００１５】
また、請求項３に記載の発明は、上記した請求項１または２に記載の発明において、上記ガスを、プロパン、ブタン等の炭化水素系ガス（液化石油ガス）、モータガス（タクシー用燃料）、ＬＮＧ（液化天然ガス）、都市ガス、工業用ガス（アセチレン等）、燃料電池用ガス、水素ガス、およびＤＭＥの何れかの燃料用ガスとするものである。
【００１６】
また、請求項４に記載の発明は、上記した請求項１または２に記載の発明において、上記ガスを、酸素、窒素、アルゴンガス、毒性ガス等の、警告臭付与が必要なガスとするものである。
【発明の効果】
【００１７】
この発明では、ガス用着臭剤（ガス用付臭剤）として、アルキルイソシアニド、例えばエチルイソシアニド、プロピルイソシアニド、ノルマルブチルイソシアニド、イソブチルイソシアニド、ｓｅｃ−ブチルイソシアニド、イソペンチルイソシアニド、イソプロピルイソシアニド、およびｔ−ブチルイソシアニドの何れか１つまたは２以上の混合体を用いるようにしたので、ガス用着臭剤を硫黄分を含まない構成とすることができ、したがって、ガスが燃料ガスである場合は、その燃料ガスを燃焼させても硫黄酸化物は発生せず、環境の汚染を確実に防止することができる。
【００１８】
また、ガス用着臭剤にアルキルイソシアニド、例えばエチルイソシアニド、プロピルイソシアニド、ノルマルブチルイソシアニド、イソブチルイソシアニド、ｓｅｃ−ブチルイソシアニド、イソペンチルイソシアニド、イソプロピルイソシアニド、およびｔ−ブチルイソシアニドの何れか１つまたは２以上の混合体を用いることで、従来使用されているＴＢＭと同様に、ガスにガス特有の臭いを着けることができ、プロパン、ブタン等の炭化水素系ガス（液化石油ガス）、モータガス（タクシー用燃料）、ＬＮＧ（液化天然ガス）、都市ガス、工業用ガス（アセチレン等）、燃料電池用ガス、水素ガス、およびＤＭＥの燃料用ガスや、酸素、窒素、アルゴンガス、毒性ガス等の、警告臭付与が必要なガスに的確に適用することができる。
【００１９】
また、ガス用着臭剤を硫黄分を含まない構成とすることができるので、燃料電池に使用される天然ガスやＤＭＥ等に添加しても、燃料電池の触媒の性能を低下させたり、セル電圧を低下させる等の問題は何ら発生せず、燃料電池用として良好な燃料ガス用着臭剤を提供することができる。
【発明を実施するための最良の形態】
【００２０】
以下にこの発明の実施の形態を詳細に説明する。
【００２１】
この発明の実施形態では、ガス漏れ認識に必要な警告臭をガスに付与するガス用着臭剤（ガス用付臭剤）として、アルキルイソシアニドを用いる。具体的には、エチルイソシアニド、プロピルイソシアニド、ノルマルブチルイソシアニド、イソブチルイソシアニド、ｓｅｃ−ブチルイソシアニド、イソペンチルイソシアニド、イソプロピルイソシアニド、およびｔ−ブチルイソシアニドの何れか１つを用いる。
【００２２】
アルキルイソシアニドの一般式は、
【化１】
2008297325.tif 000002
である。
【００２３】
エチルイソシアニドの一般式は、
【化２】
2008297325.tif 000003
である。
【００２４】
プロピルイソシアニドの一般式は、
【化３】
2008297325.tif 000004
である。
【００２５】
ノルマルブチルイソシアニドの一般式は、
【化４】
2008297325.tif 000005
である。
【００２６】
イソブチルイソシアニドの一般式は、
【化５】
2008297325.tif 000006
である。
【００２７】
ｓｅｃ−ブチルイソシアニドの一般式は、
【化６】
2008297325.tif 000007
である。
【００２８】
イソペンチルイソシアニドの一般式は、
【化７】
2008297325.tif 000008
である。
【００２９】
イソプロピルイソシアニドの一般式は、
【化８】
2008297325.tif 000009
である。
【００３０】
ｔ−ブチルイソシアニドの一般式は、
【化９】
2008297325.tif 000010
である。
【００３１】
なお、ここで着臭剤が添加されるガスは、プロパン、ブタン等の炭化水素系ガス（液化石油ガス）、モータガス（タクシー用燃料）、ＬＮＧ（液化天然ガス）、都市ガス、工業用ガス（アセチレン等）、燃料電池用ガス、水素ガス、およびＤＭＥの燃料用ガスや、酸素、窒素、アルゴンガス、毒性ガス等の、警告臭付与が必要なガスである。
【００３２】
上記の警告臭付与が必要なガスは、最終的にガス状に気化した状態で使用されるが、そこに至る段階では、固体、液体をとる場合もあり、ここでは、その状態の如何に関わらずガスと称する。
【００３３】
ガス用着臭剤として用いる上記８種のアルキルイソシアニド（エチルイソシアニド、プロピルイソシアニド、ノルマルブチルイソシアニド、イソブチルイソシアニド、ｓｅｃ−ブチルイソシアニド、イソペンチルイソシアニド、イソプロピルイソシアニド、およびｔ−ブチルイソシアニド）は、上記の一般式から分かるように、硫黄分を含んでいない。
【００３４】
上記８種のアルキルイソシアニドを液化石油ガス（ＬＰガス）のプロパンに添加した場合について、以下に説明する。
【００３５】
上記８種のアルキルイソシニアドの各々をプロパンに添加する場合、液状の状態でプロパンに入れる。
【００３６】
これらのアルキルイソシアニドと、燃料ガス用着臭剤として通常使用されているターシャリーブチルメルカプタン（ＴＢＭ（（ＣＨ3）3ＣＳＨ））とを、臭気強度、気液平衡比および添加量指数に関して比較した測定結果を表１に示す。
【表１】
2008297325.tif 000011
【００３７】
表１において、認知閾値とは、嗅覚で感じられる臭いのレベルをその強度（臭気強度）で表示する臭気強度表示法において、段階２のレベル（何の臭いかが分かる弱い臭い）をいう。この認知閾値が小さい値をとるほど、臭気強度は強くなり、認知閾値と臭気強度は反比例の関係にある。
【００３８】
また、気液平衡比とは、気液平衡状態（密閉した容器中に溶液を入れた状態で、温度、圧力、気相と液相の各組成が変わらない状態）での平衡比であり、ここでは密閉した容器中のプロパンにアルキルイソシアニドを入れた状態で、気相でのアルキルイソシアニドのモル分率ｙａと、液相でのアルキルイソシアニドのモル分率ｘａとの比（ｙａ／ｘａ）をいう。
【００３９】
添加量指数とは、本発明に特有の評価項目であり、次式（１）で求まる値である。
【数１】
2008297325.tif 000012
【００４０】
ガス臭には着臭剤の臭気強度と、その着臭剤が気化しやすいかどうかが、大きな要因となって作用する。すなわち、着臭剤は認知閾値Ａが小さく、かつ液相から気化しやすくて気液平衡比Ｂが大きくなるほど添加量を少なくすることができ、したがって、添加量指数Ｃが小さい値をとるほど添加量を少なくすることができる。
【００４１】
従来着臭剤として使用されているＴＢＭは、認知閾値が７．３×１０-5ｖｏｌｐｐｍ、気液平衡比が０．０１、添加量指数が７．３である。
【００４２】
エチルイソシアニドを着臭剤としてプロパンに添加した場合について説明する。エチルイソシアニドの場合、認知閾値は２．６８×１０-4ｖｏｌｐｐｍで、従来使用されているＴＢＭの認知閾値と比較すると３．６７倍である。
【００４３】
一方、エチルイソシアニドをプロパンに添加したときの気液平衡比は、０．０４８である。この数値は、従来使用されているＴＢＭの気液平衡比（０．０１）に比べて約４．８倍であり、このことは、エチルイソシアニドの液相から気相への気化がＴＢＭよりも速やかに行われることを示している。
【００４４】
すなわち、エチルイソシアニドは、従来使用されているＴＢＭと比較して、認知閾値は３．６７倍、気液平衡比は４．８倍であり、臭いは弱くなるものの、気化しやすい。このことを添加量指数で考えると、エチルイソシアニドの添加量指数は５．６で、従来使用されているＴＢＭの０．８倍となる。したがって、従来のＴＢＭの８割程度の量をプロパンに添加することで、ＴＢＭと同程度の臭いを得ることができる。
【００４５】
臭質、毒性および変異原性についても、従来使用されているＴＢＭと比較して、ほぼ同程度であった。
【００４６】
また、ガス容器中でプロパンが使用され液面高さが低くなった場合でも、プロパン中のエチルイソシアニドの濃度は初期濃度とほぼ同じであり、したがって異常臭気の問題も発生しなかった。
【００４７】
次にプロピルイソシアニドを着臭剤としてプロパンに添加した場合について説明する。プロピルイソシアニドの場合、認知閾値は５．５×１０-5ｖｏｌｐｐｍで、従来使用されているＴＢＭの認知閾値と比較すると０．７５倍である。
【００４８】
一方、プロピルイソシアニドをプロパンに添加したときの気液平衡比は、０．０１４である。この数値は、従来使用されているＴＢＭの気液平衡比に比べて約１．４倍であり、このことは、プロピルイソシアニドの液相から気相への気化がＴＢＭよりも速やかに行われることを示している。
【００４９】
すなわち、プロピルイソシアニドは、従来使用されているＴＢＭと比較して、認知閾値は０．７５倍、気液平衡比は１．４倍であり、臭いは強くて、かつ気化しやすい。このことを添加量指数で考えると、プロピルイソシアニドの添加量指数は３．９で、従来使用されているＴＢＭの０．５倍となる。したがって、従来のＴＢＭの半分程度の量をプロパンに添加することで、ＴＢＭと同程度の臭いを得ることができる。
【００５０】
臭質、毒性および変異原性についても、従来使用されているＴＢＭと比較して、ほぼ同程度であった。
【００５１】
また、ガス容器中でプロパンが使用され液面高さが低くなった場合でも、プロパン中のプロピルイソシアニドの濃度は初期濃度とほぼ同じであり、したがって異常臭気の問題も発生しなかった。
【００５２】
続いてノルマルブチルイソシアニドを着臭剤としてプロパンに添加した場合について説明する。ノルマルブチルイソシアニドの場合、認知閾値は３．３×１０-5ｖｏｌｐｐｍで、従来使用されているＴＢＭの認知閾値と比較すると０．４５倍である。
【００５３】
一方、ノルマルブチルイソシアニドをプロパンに添加したときの気液平衡比は、０．００３６である。この数値は、従来使用されているＴＢＭの気液平衡比に比べて約０．４倍であり、このことは、ノルマルブチルイソシアニドの液相から気相への気化がＴＢＭよりも行われにくいことを示している。
【００５４】
すなわち、ノルマルブチルイソシアニドは、従来使用されているＴＢＭと比較して、認知閾値は０．４５倍、気液平衡比は０．４倍であり、臭いは強くなるものの、多少気化しにくい。このことを添加量指数で考えると、ノルマルブチルイソシアニドの添加量指数は９．２で、従来使用されているＴＢＭの１．３倍となる。したがって、従来のＴＢＭに比べて若干多い量（１．３倍）をプロパンガスに添加することで、ＴＢＭと同程度の臭いを得ることができる。
【００５５】
臭質、毒性および変異原性についても、従来使用されているＴＢＭと比較して、ほぼ同程度であった。
【００５６】
また、ガス容器中でプロパンが使用され液面高さが低くなった場合でも、プロパン中のノルマルブチルイソシアニドの濃度は初期濃度とほぼ同じであり、したがって異常臭気の問題も発生しなかった。
【００５７】
次にイソブチルイソシアニドを着臭剤としてプロパンに添加した場合について説明する。イソブチルイソシアニドの場合、認知閾値は２．０×１０-4ｖｏｌｐｐｍで、従来使用されているＴＢＭの認知閾値と比較すると２．７４倍である。
【００５８】
一方、イソブチルイソシアニドをプロパンに添加したときの気液平衡比は、０．００４７である。この数値は、従来使用されているＴＢＭの気液平衡比に比べて約０．５倍であり、このことは、イソブチルイソシアニドの液相から気相への気化がＴＢＭよりも行われにくいことを示している。
【００５９】
すなわち、イソブチルイソシアニドは、従来使用されているＴＢＭと比較して、認知閾値は２．７４倍、気液平衡比は０．５倍であり、臭いは弱くなり、多少気化しにくい。このことを添加量指数で考えると、イソブチルイソシアニドの添加量指数は４２．６で、従来使用されているＴＢＭの５．８倍となる。したがって、従来のＴＢＭより５〜６倍程度多い量をプロパンに添加することで、ＴＢＭと同程度の臭いを得ることができる。
【００６０】
臭質、毒性および変異原性についても、従来使用されているＴＢＭと比較して、ほぼ同程度であった。
【００６１】
また、ガス容器中でプロパンが使用され液面高さが低くなった場合でも、プロパン中のイソブチルイソシアニドの濃度は初期濃度とほぼ同じであり、したがって異常臭気の問題も発生しなかった。
【００６２】
続いてｓｅｃ−ブチルイソシアニドを着臭剤としてプロパンに添加した場合について説明する。ｓｅｃ−ブチルイソシアニドの場合、認知閾値は５．２１×１０-4ｖｏｌｐｐｍで、従来使用されているＴＢＭの認知閾値と比較すると７．１４倍である。
【００６３】
一方、ｓｅｃ−ブチルイソシアニドをプロパンに添加したときの気液平衡比は、０．００３２である。この数値は、従来使用されているＴＢＭの気液平衡比に比べて約０．３倍であり、このことは、ｓｅｃ−ブチルイソシアニドの液相から気相への気化がＴＢＭよりも行われにくいことを示している。
【００６４】
すなわち、ｓｅｃ−ブチルイソシアニドは、従来使用されているＴＢＭと比較して、認知閾値は７．１４倍、気液平衡比は０．３倍であり、臭いは弱くなり、多少気化しにくい。このことを添加量指数で考えると、ｓｅｃ−ブチルイソシアニドの添加量指数は１６２．８で、従来使用されているＴＢＭの２２．３倍となる。したがって、従来のＴＢＭより２２倍程度多い量をプロパンに添加することで、ＴＢＭと同程度の臭いを得ることができる。
【００６５】
臭質、毒性および変異原性についても、従来使用されているＴＢＭと比較して、ほぼ同程度であった。
【００６６】
また、ガス容器中でプロパンが使用され液面高さが低くなった場合でも、プロパン中のｓｅｃ−ブチルイソシアニドの濃度は初期濃度とほぼ同じであり、したがって異常臭気の問題も発生しなかった。
【００６７】
次にイソペンチルイソシアニドを着臭剤としてプロパンに添加した場合について説明する。イソペンチルイソシアニドの場合、認知閾値は５．２×１０-5ｖｏｌｐｐｍで、従来使用されているＴＢＭの認知閾値と比較すると０．７１倍である。
【００６８】
一方、イソペンチルイソシアニドをプロパンに添加したときの気液平衡比は、０．００１１である。この数値は、従来使用されているＴＢＭの気液平衡比に比べて約０．１倍であり、このことは、イソペンチルイソシアニドの液相から気相への気化がＴＢＭよりも行われにくいことを示している。
【００６９】
すなわち、イソペンチルイソシアニドは、従来使用されているＴＢＭと比較して、認知閾値は０．７１倍、気液平衡比は０．１倍であり、臭いは強くなり、多少気化しにくい。このことを添加量指数で考えると、イソペンチルイソシアニドの添加量指数は４７．３で、従来使用されているＴＢＭの６．５倍となる。したがって、従来のＴＢＭより６〜７倍多い量をプロパンに添加することで、ＴＢＭと同程度の臭いを得ることができる。
【００７０】
臭質、毒性および変異原性についても、従来使用されているＴＢＭと比較して、ほぼ同程度であった。
【００７１】
また、ガス容器中でプロパンが使用され液面高さが低くなった場合でも、プロパン中のイソペンチルイソシアニドの濃度は初期濃度とほぼ同じであり、したがって異常臭気の問題も発生しなかった。
【００７２】
イソプロピルイソシアニド、ｔ−ブチルイソシアニドは現時点で測定データが得られていないが、物性面から見ると、イソプロピルイソシアニドはプロピルイソシアニドとほぼ同等であり、ｔ−ブチルイソシアニドはノルマルブチルイソシアニドとほぼ同等であり、認知閾値、気液平衡比、臭質、毒性および変異原性についても、イソプロピルイソシアニドはプロピルイソシアニドに、またｔ−ブチルイソシアニドはノルマルブチルイソシアニドに準じるものとみなすことができ、実際に着臭剤として適用可能であった。
【００７３】
なお、上記の説明では、アルキルイソシアニドをプロパンに添加した場合について説明したが、その他のガス、例えばブタン等の炭化水素系ガス（液化石油ガス）、またモータガス（タクシー用燃料）、ＬＮＧ（液化天然ガス）、都市ガス、工業用ガス（アセチレン等）、燃料電池用ガス、水素ガス、およびＤＭＥの各種燃料用ガスや、酸素、窒素、アルゴンガス、毒性ガス等の、警告臭付与が必要なガスにも同様に適用することができた。
【００７４】
以上述べたように、この発明の実施形態では、ガス用着臭剤（ガス付臭剤）として、各種のアルキルイソシアニドを用いるようにしたので、ガス用着臭剤を硫黄分を含まない構成とすることができ、したがって、ガスが燃料ガスの場合、その燃料ガスを燃焼させても硫黄酸化物は発生せず、環境の汚染を確実に防止することができる。
【００７５】
また、ガス用着臭剤に各種のアルキルイソシアニドを用いることで、従来使用されているＴＢＭより少ない量、あるいは多い場合でも７０倍程度の量の添加で、十分ガス特有の臭いを着けることができ、上記のプロパンの場合だけでなく、プロパン以外のブタン等の炭化水素系ガス（液化石油ガス）、またモータガス（タクシー用燃料）、ＬＮＧ（液化天然ガス）、都市ガス、工業用ガス（アセチレン等）、燃料電池用ガス、水素ガス、およびＤＭＥの各種燃料用ガスや、酸素、窒素、アルゴンガス、毒性ガス等の、警告臭付与が必要なガスに的確に適用することができる。
【００７６】
また、ガス用着臭剤を硫黄分を含まない構成とすることができるので、燃料電池に使用される都市ガスやＤＭＥ等に添加しても、燃料電池の触媒の性能を低下させたり、セル電圧を低下させる等の問題は何ら発生せず、燃料電池用として良好なガス用着臭剤を提供することができる。
【００７７】
また、着臭剤に窒素分が高濃度に含まれていると、改質してアンモニアに変化するので、燃料電池の触媒の性能を低下させたり、セル電圧を低下させるが、アルキルイソシアニドの窒素分は、全体に占める割合が小で十分に低濃度であるため、ガス用着臭剤として使用しても、触媒性能の低下や、セル電圧の低下は、発生しなかった。
【００７８】
さらに、ガス用着臭剤に各種のアルキルイソシアニドを使用することで、ガス容器中の燃料ガスが残り少なくなっても、着臭剤の残留濃度はほとんど変化せず、従来に比して大幅に低くなる。したがって従来発生していた異常臭気問題も発生することはない。
【００７９】
なお、上記の実施形態では、ガス用着臭剤として、各種のアルキルイソシアニドをそれぞれ単体で用いるようにしたが、単体でなく、２以上の混合体を用いるようにしてもよい。何れのアルキルイソシアニドも、臭質、毒性および変異原性は、従来使用されているＴＢＭと比較して、ほぼ同程度であるので、混合割合は、任意の割合とすることができ、用途に応じて選択すればよい。